(57)【要約】      （修正有）【課題】配線作業を迅速で便利に行うことができ、省力化を実現することができ、配線作業の効率を高めることができる端子台配線装置を提供する。【解決手段】端子台配線装置は、端子台１０及び配線治具２０を含む。配線治具２０は、ハンドル２１及び係合アーム２２を含む。ハンドル２１からは、第１位置決め凸部２１１が突出し、係合アーム２２は、第２位置決め凸部２２１を有する。配線治具は、第１位置決め凸部及び第２位置決め凸部を介して端子台上に位置決めされる。外力がハンドルに作用すると、第１位置決め凸部２１１が支点となり、係合アーム２２が揺動部材１４を駆動して位置決め弾性片１３を押圧し、位置決め弾性片の自由端１３２が揺動部材に押圧されて導電端子１２から離れるため、ケーブルを絶縁台１１の端子溝１１１に挿入して導電端子１２に電気的に接続することができる。【選択図】図３
0003199760.tif 000002
【実用新案登録請求の範囲】
【請求項１】
端子台及び配線治具を備え、ケーブルが電気的に接続される端子台配線装置であって、
前記端子台は、絶縁台と、前記絶縁台内に設置される、導電端子と、位置決め弾性片と、揺動部材と、を有し、
前記絶縁台の外側には、位置決め凹部が設けられ、
前記位置決め弾性片は、前記絶縁台に接続される固定端と、前記導電端子上方に延伸する自由端と、を有し、
前記揺動部材の一方の端部は、前記絶縁台から露出する挿入溝を有し、前記揺動部材の他方の端部は、前記位置決め弾性片の自由端上に当接され、
前記配線治具は、ハンドルと、前記ハンドルから延伸する係合アームと、有し、前記ハンドルの一方の側部からは、第１位置決め凸部が突出し、前記係合アームの一方の末端は、第２位置決め凸部を有し、
前記第１位置決め凸部は、前記位置決め凹部に位置決めされ、
前記第２位置決め凸部は、前記挿入溝中に挿入当接され、
前記係合アームは、前記揺動部材を駆動して前記位置決め弾性片を押圧し、
前記自由端は、前記揺動部材からの押圧を受けると、前記導電端子から離れるため、前記ケーブルを前記絶縁台に挿入して前記導電端子に電気的に接続することができ、外力が開放されると、前記位置決め弾性片は、前記ケーブルを弾性押圧して前記絶縁台内に結合位置決めすることを特徴とする端子台配線装置。
【請求項２】
前記絶縁台は、間隔をあけて設置される複数の端子溝を有し、各々の前記端子溝中には、前記導電端子、前記位置決め弾性片及び前記揺動部材が配置されることを特徴とする請求項１に記載の端子台配線装置。
【請求項３】
前記導電端子は、前記絶縁台の内壁面に沿って平行に延伸する第１挟持接続片と、一部が横方向に延伸する第２挟持接続片と、を有し、前記第１挟持接続片は、前記絶縁台内に係合固定される第１接続部及び第１弾性挟持部を有し、前記第２挟持接続片は、横方向に延伸する第２接続部と、前記第１弾性挟持部に対向して挟持力が形成される第２弾性挟持部と、を有することを特徴とする請求項１に記載の端子台配線装置。
【請求項４】
前記位置決め弾性片の固定端は、前記第１接続部に平行であり、前記自由端は、前記第１挟持接続片の一方の側辺に吊設されることを特徴とする請求項３に記載の端子台配線装置。
【請求項５】
前記揺動部材の断面は、Ｙ形であることを特徴とする請求項１に記載の端子台配線装置。
【請求項６】
前記ハンドルの第１位置決め凸部と反対側の表面は、複数の滑り止めリブを有し、前記係合アームの第２位置決め凸部と反対側の表面は、支持凸リブを有することを特徴とする請求項１に記載の端子台配線装置。
【請求項７】
前記位置決め凹部は、弧状面であり、前記第１位置決め凸部は、前記ハンドルに接続される接続ロッドと、前記位置決め凹部上に位置決めされる円柱と、を有することを特徴とする請求項１に記載の端子台配線装置。
【請求項８】
前記第１位置決め凸部及び前記第２位置決め凸部の断面形状は、同一であることを特徴とする請求項１に記載の端子台配線装置。
【請求項９】
前記第１位置決め凸部及び前記第２位置決め凸部の断面形状は、凸字形を呈することを特徴とする請求項１に記載の端子台配線装置。
【請求項１０】
配線治具を介してケーブルが端子台に挿入接続される端子台配線装置であって、
前記端子台には、位置決め弾性片、導電端子及び挿入溝を有する揺動部材が設置され、
前記配線治具は、ハンドル及び係合アームを有し、
前記ハンドルの一方の側部からは、前記端子台の外表面に位置決めされる第１位置決め凸部が突出し、
前記係合アームは、前記ハンドルから延伸し、前記係合アームの一方の末端は、前記挿入溝中に挿入当接される第２位置決め凸部を有し、
前記係合アームは、前記揺動部材を駆動して前記位置決め弾性片を押圧し、前記ケーブルは、前記端子台に挿入されて前記導電端子に電気的に接続されることを特徴とする端子台配線装置。
【請求項１１】
前記ハンドルの第１位置決め凸部と反対側の表面は、複数の滑り止めリブを有し、前記係合アームの第２位置決め凸部と反対側の表面は、支持凸リブを有することを特徴とする請求項１０に記載の端子台配線装置。
【請求項１２】
前記位置決め凹部は、弧状面であり、前記第１位置決め凸部は、前記ハンドルに接続される接続ロッドと、前記位置決め凹部上に位置決めされる円柱と、を有することを特徴とする請求項１０に記載の端子台配線装置。
【請求項１３】
前記第１位置決め凸部及び前記第２位置決め凸部の断面形状は、同一であることを特徴とする請求項１０に記載の端子台配線装置。
【請求項１４】
前記第１位置決め凸部及び前記第２位置決め凸部の断面形状は、凸字形を呈することを特徴とする請求項１３に記載の端子台配線装置。
【考案の詳細な説明】
【技術分野】
【０００１】
本考案は、治具に関し、特に、端子台配線装置に関する。
【背景技術】
【０００２】
端子台（Ｔｅｒｍｉｎａｌ  Ｂｌｏｃｋ）は、絶縁台及び導電部材とが組み合わせてなる電気的接続装置であり、複数の導線を電気的に接続する作業プラットフォームとして使用される。端子台の応用領域は、非常に広く、電気製品（例えば、冷房装置、冷蔵庫、洗濯機、オーブンなど）、機器設備（例えば、産業用コンピュータ、無停電電源システム、電源供給装置など）、制御設備（例えば、電気機械システム、冷凍空調、プログラマブルコントローラなど）又は他の装置中に応用されている。
【０００３】
従来の多くの端子台内部には、ケーブルを固定するために使用される弾性片が設けられる。このため、従来の配線方式は、先ず端子台を固定し、次にドライバーで弾性片を押圧し、ケーブルを端子台に挿入して接続する。最後にドライバーを開放し、弾性片でケーブルを押圧し、端子台内に位置決めする。即ち、従来の端子台は、配線作業を行う際に治具及びドライバーが必要であるため、非常に不便である。また、ドライバーの使用を誤ると、端子を損壊させやすい。このため、従来の配線方法には、改善が求められていた。
【０００４】
本考案の考案者は、従来の欠点を改善するために、研究開発を行い、ついに、従来の端子台の欠点を合理的且つ有効に改善することができる本考案を案出した。
【先行技術文献】
【特許文献】
【０００５】
【特許文献１】特開２００９−１６３９５７号公報
【考案の概要】
【考案が解決しようとする課題】
【０００６】
本考案の目的は、配線作業を迅速で便利に行うことができ、省力化を実現することができ、配線作業の効率を高めることができる端子台配線装置を提供することにある。
【課題を解決するための手段】
【０００７】
上述の課題を解決するために、本考案は、端子台及び配線治具を含み、ケーブルを電気的に接続するのに便利な端子台配線装置を提供するものである。端子台は、絶縁台と、絶縁台内に設置される、導電端子と、位置決め弾性片と、揺動部材と、を含む。絶縁台の外側には、位置決め凹部が設けられる。位置決め弾性片は、絶縁台に接続される固定端と、導電端子上方に延伸する自由端と、を有する。揺動部材の一方の端部は、絶縁台から露出する挿入溝を有し、揺動部材の他方の端部は、位置決め弾性片の自由端上に当接される。配線治具は、ハンドルと、ハンドルから延伸する係合アームと、を有する。ハンドルの一方の側部からは、第１位置決め凸部が突出する。係合アームの一方の末端は、第２位置決め凸部を有する。配線治具は、第１位置決め凸部が位置決め凹部に位置決めされ、第２位置決め凸部が挿入溝中に挿入当接されることにより、端子台上に係合固定される。外力がハンドルに作用すると、第１位置決め凸部が支点となり、係合アームが揺動部材を駆動して位置決め弾性片を押圧し、自由端が揺動部材の押圧を受けて導電端子から離れるため、ケーブルを絶縁台に挿入して導電端子に電気的に接続することができる。次に、外力が開放されると、位置決め弾性片がケーブルを弾性押圧するため、ケーブルが絶縁台内に結合位置決めされる。
【０００８】
上述の課題を解決するために、本考案は、端子台配線装置を提供するものである。ケーブルは、配線治具を介して端子台に挿入接続される。端子台には、位置決め弾性片、導電端子及び揺動部材が設置される。配線治具は、ハンドル及び係合アームを含む。ハンドルの一方の側部からは、端子台外表面に位置決めすることができる第１位置決め凸部が突出する。係合アームは、ハンドルから延伸する。係合アームの一方の末端は、揺動部材中に挿入当接することができる第２位置決め凸部を有する。配線治具は、端子台上に係合固定される。外力がハンドルに作用すると、第１位置決め凸部が支点となり、係合アームが揺動部材を駆動して位置決め弾性片を押圧するため、ケーブルを絶縁台に挿入して導電端子に電気的に接続することができる。
【考案の効果】
【０００９】
従来の端子台と比較して本考案の端子台配線装置は、使用する際、一方の手でハンドルを押圧し、他方の手で配線作業（ケーブルを挿入接続する）を行うことができるため、配線作業を便利に行うことができる。また、本考案は、配線治具を使用することにより、従来の端子台の配線作業を行う際に必要であった（絶縁台）治具及びドライバーが必要ないため、工具が端子台を損壊させるのを防止することができる。また、本考案の配線治具は、てこの原理により、ハンドル上の第１位置決め凸部が支点となり、係合アームが揺動部材を駆動して位置決め弾性片を押圧する構造となっているため、配線作業の省力化を実現することができる。また、本考案の配線治具は、使用しない際は、配線治具を端子台上に固定することができ、配線治具を端子台上に固定している際、端子台上に影響を与えることがなく、配線治具が遺失するのを防止することができ、配線治具を次回使用する際、端子台上から直接取り外して使用することができるため、使用上の利便性及び実用性が高い。  
【図面の簡単な説明】
【００１０】
【図１】本考案の配線治具と端子台を組み合わせた状態を示す斜視図である。
【図２】本考案の配線治具及び端子台を示す分解斜視図である。
【図３】本考案の配線治具と端子台を組み合わせた状態を示す断面図である。
【図４】本考案の配線治具の使用状態を示す断面図である。
【図５】本考案の端子台にケーブルを挿入接続した状態を示す断面図である。
【図６】本考案の他の実施形態による配線治具を示す斜視図である。
【図７】本考案の他の実施形態による配線治具の使用状態を示す断面図である。
【図８】本考案の他の実施形態による配線治具の他の使用状態を示す断面図である。
【考案を実施するための形態】
【００１１】
本考案の詳細な技術内容を図面に沿って以下に説明する。ここで、図面は、参考及び説明のために提供するものであり、本考案を限定するものではない。
【００１２】
図１〜図３を参照する。図１は、本考案の配線治具と端子台を組み合わせた状態を示す斜視図である。図２は、本考案の配線治具及び端子台を示す分解斜視図である。図３は、本考案の配線治具と端子台を組み合わせた状態を示す断面図である。本考案の端子台配線装置は、端子台１０及び配線治具２０を含む。配線作業を行う際、配線治具２０を端子台１０上に位置決めし、配線治具２０上に外力を与えることにより、電気的接続の補助を行うことができる。また、配線作業を行わない際、配線治具２０を端子台１０上に固定することができる。配線治具２０を端子台１０上に固定している際、端子台１０上に影響を与えることがなく、配線治具２０が遺失するのを防止することができ、配線治具２０を次回使用する際、端子台１０上から直接取り外して使用することができる。  
【００１３】
本考案の一実施形態中、端子台１０は、絶縁台１１と、絶縁台１１内に設置される、導電端子１２と、位置決め弾性片１３と、揺動部材１４と、を含む。絶縁台１１の外側には、位置決め凹部１１０が設けられる。位置決め弾性片１３は、絶縁台１１に接続される固定端１３１と、導電端子１２上方に延伸する自由端１３２と、を有する。揺動部材１４の一方の端部は、絶縁台１１から露出する挿入溝１４０を有し、揺動部材１４の他方の端部は、位置決め弾性片１３の自由端１３２上に当接される。好ましくは、揺動部材１４は、断面がＹ形である。また、絶縁台１１は、間隔をあけて設置される複数の端子溝１１１を含む。各端子溝１１１中には、導電端子１２、位置決め弾性片１３及び揺動部材１４が配置される。
【００１４】
本実施形態中、導電端子１２は、絶縁台１１の内壁面に沿って略平行に延伸する第１挟持接続片１２１と、一部が横方向に延伸する第２挟持接続片１２２と、を含む。第１挟持接続片１２１は、絶縁台１１内に係合固定される第１接続部１２１１及び第１弾性挟持部１２１２を含む。第２挟持接続片１２２は、横方向に延伸する第２接続部１２２１と、第１弾性挟持部１２１２に対向して挟持力が形成される第２弾性挟持部１２２２と、を含む。位置決め弾性片１３の固定端１３１は、第１挟持接続片１２１の第１接続部１２１１に平行である。位置決め弾性片１３の自由端１３２は、第１挟持接続片１２１の一方の側辺に吊設される。
【００１５】
配線治具２０は、ハンドル２１と、ハンドル２１から延伸する係合アーム２２と、を含む。ハンドル２１の一方の側部からは、第１位置決め凸部２１１が突出する。係合アーム２２の一方の末端は、第２位置決め凸部２２１を有する。配線治具２０は、ハンドル２１の第１位置決め凸部２１１が絶縁台１１の位置決め凹部１１０に位置決めされ、係合アーム２２の第２位置決め凸部２２１が揺動部材１４の挿入溝１４０中に挿入当接されることにより、端子台１０上に係合固定される。
【００１６】
本考案の一実施形態中、絶縁台１１の位置決め凹部１１０は、弧状面である。また、ハンドル２１の第１位置決め凸部２１１は、ハンドル２１に接続される接続ロッド２１１１と、位置決め凹部１１０上に位置決めされる円柱２１１２と、を含む。ここで、実施する際、位置決め凹部１１０と第１位置決め凸部２１１とが互いに対応して位置決めされればよく、前述の態様のみに限定されない。
【００１７】
好ましくは、ハンドル２１の第１位置決め凸部２１１と反対側の表面は、複数の滑り止めリブ２１２を有する。複数の滑り止めリブ２１２の設置により、摩擦力を高めてハンドル２１上に外力を加えやすくすることができる。また、係合アーム２２の第２位置決め凸部２２１と反対側の表面は、支持凸リブ２２２を有する。支持凸リブ２２２の設置により、係合アーム２２の構造強度を高めることができる。
【００１８】
図４及び図５を参照する。図４は、本考案の配線治具の使用状態を示す断面図である。図５は、本考案の端子台にケーブルを挿入接続した状態を示す断面図である。配線作業を行う際、先ず、配線治具２０の第１位置決め凸部２１１を絶縁台１１の位置決め凹部１１０に位置決めする。これと同時に、係合アーム２２の第２位置決め凸部２２１を揺動部材１４の挿入溝１４０中に挿入当接する。これにより、配線治具２０が端子台１０上に係合固定される。
【００１９】
次に、ハンドル２１に外力を作用させる。この際、一方の手でハンドル２１を絶縁台１１の方向に押圧する。これにより、ハンドル２１の第１位置決め凸部２１１が支点となり、係合アーム２２が揺動部材１４を駆動して位置決め弾性片１３を押圧する。位置決め弾性片１３の自由端１３２は、揺動部材１４からの押圧を受けて導電端子１２から離れる。この際、絶縁台１１に挿入接続空間１００が形成される。次に、他方の手でケーブル２を絶縁台１１の挿入接続空間１００中に挿入し、ケーブル２を導電端子１２に電気的に接続する。次に、外力を開放すると、位置決め弾性片１３がケーブル２を弾性押圧し、ケーブル２が絶縁台１１内に結合位置決めされる。
【００２０】
次に、導線３を端子台１０に挿入し、ケーブル２と導線３との間を端子台１０を介して電気的に接続することができる。導線３は、第１挟持接続片１２１及び第２挟持接続片１２２によって挟持される。さらに詳細に述べると、導線３は、第１弾性挟持部１２１２と第２弾性挟持部１２２２との間に挟持固定される。これにより、導線３は、第１挟持接続片１２１及び第２挟持接続片１２２を介してケーブル３に間接的に接続される。即ち、端子台１０を介してケーブル２と導線３とが電気的に接続される。
【００２１】
以上の説明から分かるように、本考案の配線治具２０を使用することにより、端子台１０の配線作業を迅速で便利に行うことができ、省力化を実現することができ、端子台１０の配線作業の効率を高めることができる  。
【００２２】
図６?図８を参照する。図６は、本考案の他の実施形態による配線治具を示す斜視図である。図７は、本考案の他の実施形態による配線治具の使用状態を示す断面図である。図８は、本考案の他の実施形態による配線治具の他の使用状態を示す断面図である。図６に示すように、配線治具２０ａは、ハンドル２１ａと、ハンドル２１ａから延伸する係合アーム２２ａと、を含む。ハンドル２１ａの一方の側部からは、第１位置決め凸部２１１ａが突出する。係合アーム２２ａの一方の末端は、第２位置決め凸部２２１ａを有する。本実施形態においては、第１位置決め凸部２１１ａ及び第２位置決め凸部２２１ａの断面形状が同一であり、好ましくは、凸字形を呈する。
【００２３】
図７に示すように、配線作業を行う際、配線治具２０ａの第１位置決め凸部２１１ａを端子台１０ａの位置決め凹部１１０ａ上に位置決めする。また、係合アーム２２ａの第２位置決め凸部２２１ａを揺動部材１４ａの挿入溝１４０ａ中に挿入当接する。これにより、ハンドル２１ａに外力が作用すると、第１位置決め凸部２１１ａが支点となり、係合アーム２２ａが揺動部材１４ａを駆動し、ケーブルを結合することができる。
【００２４】
図８を参照する。配線作業を行う際、本実施形態の配線治具２０ａは、使用習慣又は需要に基づき、係合アーム２２ａの第２位置決め凸部２２１ａを端子台１０ａの位置決め凹部１１０ａ上に位置決めし、ハンドル２１ａの第１位置決め凸部２１１ａを揺動部材１４ａの挿入溝１４０ａ中に挿入当接することができる。
【００２５】
以上の説明は、本考案の実施形態を示すものであり、本考案の範囲を限定するものではなく、本考案の主旨を逸脱しない範囲における同等効果である変更は、何れも本考案に含まれる。  
【符号の説明】
【００２６】
２  ケーブル
３  導線
１０  端子台
１０ａ  端子台
１００  挿入接続空間
１１  絶縁台
１１０  位置決め凹部
１１０ａ  位置決め凹部
１１１  端子溝
１２  導電端子
１２１  第１挟持接続片
１２１１  第１接続部
１２１２  第１弾性挟持部
１２２  第２挟持接続片
１２２１  第２接続部
１２２２  第２弾性挟持部
１３  位置決め弾性片
１３１  固定端
１３２  自由端
１４  揺動部材
１４ａ  揺動部材
１４０  挿入溝
１４０ａ  挿入溝
２０  配線治具
２０ａ  配線治具
２１  ハンドル
２１ａ  ハンドル
２１１  第１位置決め凸部
２１１ａ  第１位置決め凸部
２１１１  接続ロッド
２１１２  円柱
２１２  滑り止めリブ
２２  係合アーム
２２ａ  係合アーム
２２１  第２位置決め凸部
２２１ａ  第２位置決め凸部
２２２  支持凸リブ
【図１】
0003199760.tif 000003
【図２】
0003199760.tif 000004
【図３】
0003199760.tif 000005
【図４】
0003199760.tif 000006
【図５】
0003199760.tif 000007
【図６】
0003199760.tif 000008
【図７】
0003199760.tif 000009
【図８】
0003199760.tif 000010